(57)【要約】【課題】放射線画像の撮影者が放射線読取装置の設置されている場所以外でも撮影した放射線画像を確認できるようにする。【解決手段】Ｘ線カセッテ１に輝尽性蛍光体シート６に記録されたＸ線画像と同じＸ線画像を画像データとして作成するＦＰＤ３と、その画像データから形成されたＸ線画像を表示する液晶ディスプレイ４を備える。【選択図】      図１
2004188095.tif 000002
【特許請求の範囲】
【請求項１】
放射線画像記録媒体を取り扱うための持ち運び可能な放射線画像撮影用カセッテにおいて、
前記放射線画像記録媒体に記録された放射線画像に等しい放射線画像を画像データとして記録する確認用放射線画像記録媒体と、
前記確認用放射線画像記録媒体に記録した前記放射線画像を表示する画像表示装置とを備え、
前記確認用放射線画像記録媒体は、前記画像データに基づいて前記画像表示装置に画像を表示させる制御部を有することを特徴とする放射線画像撮影用カセッテ。
【請求項２】
放射線画像記録媒体を取り扱うための持ち運び可能な放射線画像撮影用カセッテにおいて、
前記放射線画像記録媒体に記録された放射線画像に等しい放射線画像を画像データとして記録する確認用放射線画像記録媒体を備え、
該確認用放射線画像記録媒体は、前記放射線画像を表示する携帯端末に前記画像データを送信する通信部を有することを特徴とする放射線画像撮影用カセッテ。
【請求項３】
放射線発生装置から放射線を照射することにより得られる放射線画像を記録する放射線画像記録媒体と、前記放射線画像記録媒体に記録された前記放射線画像を画像データとして読み取る放射線画像読取装置と、を備えた放射線画像撮影システムにおいて、
前記放射線画像読取装置で読み取られた前記画像データを受信し、該画像データにより放射線画像を表示する携帯端末を備え、
前記放射線画像読取装置は、前記携帯端末に画像データを送信する通信部を有することを特徴とする放射線画像撮影システム。
【発明の詳細な説明】
【０００１】
【発明の属する技術分野】
本発明は、放射線画像撮影システム及び放射線画像撮影用カセッテに係り、特に撮影した放射線画像をデジタル化して、画像データとして記録する放射線画像撮影システム及び放射線画像撮影用カセッテに関する。
【０００２】
【従来の技術】
病気診断用に広く用いられているＸ線画像に代表される放射線画像は、画像データとしてデジタル化してネットワーク上で保存及び伝送することにより、診断の効率化・迅速化を図る要請がある。そのため、輝尽性蛍光体を利用して、放射線画像の画像データを作成する放射線画像撮影システムが広く用いられるようになってきている。
【０００３】
輝尽性蛍光体は、照射された放射線エネルギーを蓄積し、その後、励起光を照射することで蓄積した放射線エネルギーに応じて輝尽発光する物質である。その明暗により画像が形成されるため、輝尽性蛍光体は、一般にシート状の支持体に積層され輝尽性蛍光体シートとして、放射線画像を記録する放射線画像記録媒体として利用される。また、輝尽性蛍光体が発した輝尽光は、光電変換素子を用いて電気信号として取り出すことが可能である。
【０００４】
この輝尽性蛍光体を利用した放射線画像撮影システムとしては、例えば持ち運び可能な放射線画像撮影用カセッテを用いるカセッテタイプの放射線画像撮影システムが多く利用されている。
【０００５】
カセッテタイプの放射線画像撮影システムでは、輝尽性蛍光体シートは放射線画像撮影用カセッテに収容された状態で放射線画像撮影に使用され、放射線エネルギーを蓄積する。撮影済みの輝尽性蛍光体シートは、放射線画像撮影用カセッテに収容されたまま、放射線画像読取装置にセットされ、読取処理が行われる（例えば、特許文献１及び特許文献２参照）。
【０００６】
放射線画像読取装置は、セットされた放射線画像撮影用カセッテから輝尽性蛍光体シートを取り出し、励起光を照射して輝尽光を取り出し、光電変換することにより放射線画像を示す電気信号を作成する。この電気信号はＡ／Ｄ変換され、デジタル化された画像データとなり、画像処理や各種デジタル記録媒体への記録が可能になる。
【０００７】
また、放射線画像読取装置がネットワークに接続されることで、作成された画像データは、そのネットワークに接続されたコンピュータ間で送受信が可能になる。例えば、診断室に設置された端末装置に放射線画像を表示させて、医師による被検者の診断に利用することも可能となっている。
【０００８】
このようにデジタル化された画像データには、必要に応じて階調処理等の画像処理を行うことは可能であるが、放射線画像に医師が必要とする部位が的確に撮影されていなければ再撮影を行わなければならない。従来、撮影した放射線画像のポジショニング等の確認は放射線画像読取装置に画像データを読み取らせた際に、放射線画像読取装置に内蔵されたコンソールや接続されたコントローラ装置等の表示画面に放射線画像を表示させることで行われている。
【０００９】
【特許文献１】
特開２０００−２８４３８７号公報
【特許文献２】
特開平１１−２８９４２６号公報
【００１０】
【発明が解決しようとする課題】
しかしながら、前記従来の放射線画像撮影システムにおいては、病室等を巡回して放射線画像撮影を行った場合、撮影した放射線画像のポジショニングを確認するためには、放射線画像読取装置のある場所まで撮影済みの輝尽性蛍光体シートを収容した放射線画像撮影用カセッテを運び、放射線画像読取装置に画像データを読み取らせ、表示部等に表示させなければならなかった。また、表示された放射線画像を確認した結果、再撮影が必要であると判断した場合、撮影者は被検者のいる場所で再撮影を行い、撮影を行った後、再びポジショニングを確認しなければならない。
【００１１】
このように、持ち運び可能な放射線画像撮影用カセッテを利用して、病室等で撮影した場合、撮影した場所と、放射線画像読取装置が設置されている場所とが異なるため、撮影した放射線画像の確認及び場合によっては再撮影に多くの労力と時間とが必要となるという問題を有している。
【００１２】
本発明は前記した点に鑑みてなされたものであり、放射線画像の撮影者が放射線読取装置の設置されている場所以外でも撮影した放射線画像を確認することができる放射線画像撮影システム及び放射線画像撮影用カセッテを提供することを目的とするものである。
【００１３】
【課題を解決するための手段】
前記目的を達成するため請求項１に記載の発明に係る放射線画像撮影用カセッテは、
放射線画像記録媒体を取り扱うための持ち運び可能な放射線画像撮影用カセッテにおいて、
前記放射線画像記録媒体に記録された放射線画像に等しい放射線画像を画像データとして記録する確認用放射線画像記録媒体と、
前記確認用放射線画像記録媒体に記録した前記放射線画像を表示する画像表示装置とを備え、
前記確認用放射線画像記録媒体は、前記画像データに基づいて前記画像表示装置に画像を表示させる制御部を有することを特徴とするものである。
【００１４】
この請求項１に記載の発明によれば、確認用放射線画像記録媒体には、放射線画像記録媒体に記録された放射線画像に等しい放射線画像を画像データとして記録される。また、その画像データは、通信部を介して、画像表示装置に送信され、表示される。
【００１５】
また、請求項２に記載の発明に係る放射線画像撮影用カセッテは、
放射線画像記録媒体を取り扱うための持ち運び可能な放射線画像撮影用カセッテにおいて、
前記放射線画像記録媒体に記録された放射線画像に等しい放射線画像を画像データとして記録する確認用放射線画像記録媒体を備え、
該確認用放射線画像記録媒体は、前記放射線画像を表示する携帯端末に前記画像データを送信する通信部を有することを特徴とするものである。
【００１６】
この請求項２に記載の発明によれば、確認用放射線画像記録媒体には、放射線画像記録媒体に記録された放射線画像に等しい放射線画像を画像データとして記録される。また、その画像データは、通信部を介して、携帯端末に送信され、携帯端末は、その画像データにより形成される放射線画像を表示する。
【００１７】
また、請求項３に記載の発明に係る放射線画像撮影システムは、
放射線発生装置から放射線を照射することにより得られる放射線画像を記録する放射線画像記録媒体と、前記放射線画像記録媒体に記録された前記放射線画像を画像データとして読み取る放射線画像読取装置と、を備えた放射線画像撮影システムにおいて、
前記放射線画像読取装置で読み取られた前記画像データを受信し、該画像データにより放射線画像を表示する携帯端末を備え、
前記放射線画像読取装置は、前記携帯端末に画像データを送信する通信部を有することを特徴とするものである。
【００１８】
この請求項３に記載の発明によれば、放射線画像読取装置により放射線画像記録媒体から読み取られた画像データは、通信部を介して、携帯端末に送信され、携帯端末は、その画像により形成される放射線画像を表示する。
【００１９】
【発明の実施の形態】
以下、本発明の実施形態を図１から図８を参照して説明する。
【００２０】
〔第１の実施の形態〕
本発明の第１の実施の形態を図１及び図２を参照して説明する。
【００２１】
図１は本発明に係る放射線画像撮影用カセッテの実施の一形態を示しており、図１（ａ）はその斜視図であり、図１（ｂ）はその内部を示した模式図である。
【００２２】
放射線画像撮影用カセッテであるＸ線カセッテ１は、筐体２を有しており、筐体２の内側後板側には、確認用放射線画像記録媒体であるＦＰＤ（Ｆｌａｔ  Ｐａｎｅｌ  Ｄｅｔｅｃｔｅｒ）３が設けられている。さらに、筐体２の後板の外側面には、ＦＰＤ３で作成された画像データにより形成されたＸ線画像を表示するための画像表示装置である液晶ディスプレイ４が埋設されており、表示されたＸ線画像を確認するための窓部５が形成されている。
【００２３】
筐体２には、放射線画像記録媒体である輝尽性蛍光体シート６が収容され、放射線画像撮影時に被検者を透過したＸ線は、筐体２の前板を透過して輝尽性蛍光体シート６に到達する。また、放射線画像撮影時には被検者の身体の一部がその上部に乗せられることもあるため、筐体２の前板はアルミニウムや炭素繊維強化樹脂等のＸ線透過率及び剛性の高い材料で構成されるのが好ましい。一方、液晶ディスプレイ４等が配設されている筐体２の後板は、それらの物理的損傷を防止できる程度の剛性を有するものであればいかなるものでもよく、各種金属、合成樹脂、繊維強化樹脂等を挙げることができる。
【００２４】
図２に示すように、ＦＰＤ３は、照射されたＸ線を検出し、電気信号に変換するX線検出装置７とその電気信号を画像データとして扱えるようにする制御装置８とを備えている。
【００２５】
X線検出装置７は、Ｘ線を受けると可視光線を発する増感紙９と、増感紙９が発した光を感光して、その光を電気信号に変換する半導体素子を配置することにより形成される光電変換層１０と、光電変換層１０を形成するための支持板１１とを有している。それらは、筐体２の前板に平行に配置されており、筐体２の前板側から増感紙９、光電変換層１０、支持板１１の順序の層構造となっている。また、光電変換層１０と制御装置８とは、電気的に接続されている。
【００２６】
制御装置８は、ＦＰＤ３全体を制御する制御部１２と、電気信号を画像データとして処理するための画像処理部１３と、画像処理情報等を記録する記録媒体１４とを有している。
【００２７】
制御部１２は、X線検出装置７から送られてきた電気信号と記録媒体１４に記録されている画像処理情報とから、画像処理部１３に画像データを作成させる制御や、液晶ディスプレイ４に作成した画像データと放射線画像を表示する指示を送信する制御等を行う。
【００２８】
液晶ディスプレイ４は、基板（非図示）を有しており、基板には、Ｘ線画像を表示する液晶パネル１５と、ＦＰＤ３から送られてきた画像データを液晶パネル１５に表示させるための液晶パネル駆動回路１６とが配設されている。液晶パネル１５は、Ｘ線カセッテ１の後面で確認できるように窓部５に対応する位置に配設されている。
【００２９】
また、本発明に係る放射線画像撮影用カセッテを利用した放射線画像撮影システムは、Ｘ線を被検者に照射する放射線発生装置としてのＸ線発生装置（非図示）及び輝尽性蛍光体シート６に記録されたＸ線画像を読み取るための放射線画像読取装置としての蛍光体読取装置（非図示）等から構成される。尚、蛍光体読取装置は、放射線科等の特定の場所に設置されている。
【００３０】
次に、第１の実施形態の作用について説明する。
【００３１】
Ｘ線撮影者は、Ｘ線発生装置とＸ線カセッテ１の間に被検者の撮影部位を配置し、Ｘ線を被検者に照射する。
【００３２】
照射されたＸ線は、被検者を通過し、Ｘ線カセッテ１に収容された輝尽性蛍光体シート６に到達し、そのエネルギーは輝尽性蛍光体シート６に蓄積される。
【００３３】
また、照射されたX線は、ＦＰＤ３の増感紙９にも到達する。増感紙９は、Ｘ線を感知するとそのエネルギーに応じた強度の可視光線を発光する。
【００３４】
増感紙９が発した可視光線は、光電変換層１０の半導体素子により感光される。光電変換層１０では、増感紙９が発した可視光線の強度に対応した電気信号が形成される。
【００３５】
X線検出装置７により、Ｘ線カセッテ１に到達したＸ線エネルギーから作成された電気信号は、制御装置８に送られる。
【００３６】
制御装置８はX線検出装置７から電気信号を受けると、記録媒体１４に記録されている画像処理情報に基づいて、その電気信号から画像処理部１３により画像データを作成する。作成された画像データは、液晶ディスプレイ４の液晶パネル駆動回路１６に送られる。
【００３７】
液晶パネル駆動回路１６は、画像データにより液晶パネル１５にＸ線画像を表示するための指示を発し、表示させる。
【００３８】
Ｘ線撮影者は、窓部５から液晶ディスプレイ４の液晶パネル１５に表示されたＸ線画像を見て、ポジショニングを確認し、再撮影が必要か否かを判断する。再撮影が必要ならば、Ｘ線の照射方向や被検者の位置等を調整して再撮影を行い、最撮影が必要でなければ、次の部位又は被検者の撮影のために、Ｘ線発生装置を移動させる。
【００３９】
ポジショニング等が確認されたＸ線カセッテ１の輝尽性蛍光体シート６に蓄積されたＸ線エネルギーは、蛍光体読取装置に読み取られ、画像データに変換された後、画像処理が施され、医師による読影が可能なＸ線画像となる。
【００４０】
尚、本実施の形態では、X線検出装置７の光電変換層１０は、Ｘ線が照射された増感紙９が発した可視光線を感光し、この光を電気信号に変換しているが、増感紙９を設けずに、光電変換層１０に、Ｘ線を直接感知し、電気信号に変換する半導体素子を配置してもよい。
【００４１】
また、ＦＰＤ３を放射線画像記録媒体として利用して、輝尽性蛍光体シート６を使用しない放射線画像撮影も可能であり、その場合は放射線画像読取装置をＦＰＤコントローラとすればよい。
【００４２】
したがって、本実施形態においては、Ｘ線画像撮影後、Ｘ線カセッテ１の後板に埋設された液晶ディスプレイに表示された放射線画像を確認することで、Ｘ線カセッテ１に収容されている輝尽性蛍光体シート６に記録されたＸ線画像のポジショニングを確認することができる。また、確認を撮影場所で行うことができるため、再撮影をすぐに行うことが可能となり、蛍光体読取装置が設置されている場所と病室とを往復する労力及び時間を軽減することが可能となる。
【００４３】
〔第２の実施の形態〕
本発明の第２の実施の形態を図３及び図４を参照して説明する。
【００４４】
図３は本発明に係る放射線画像撮影用カセッテの実施の一形態を示した模式図である。
【００４５】
放射線画像撮影用カセッテであるX線カセッテ１７は、筐体１８を有しており、筐体１８の内側後板側には、確認用放射線画像記録媒体であるＦＰＤ（Ｆｌａｔ  Ｐａｎｅｌ  Ｄｉｓｐｌａｙ）１９が設けられている。また、筐体１８の後板の外側面には、ケーブル２０を介して携帯端末２１に接続するための接続部２２が配設されている。
【００４６】
筐体１８には、放射線画像記録媒体である輝尽性蛍光体シート２３が収容され、放射線画像撮影時に被検者を透過したＸ線は、筐体１８の前板を透過して輝尽性蛍光体シート２３に到達する。筐体１８の構成材料は、第１の実施形態に記載した筐体２と同様である。
【００４７】
図４に示すように、ＦＰＤ１９は、照射されたＸ線を検出し、電気信号に変換するX線検出装置２４とその電気信号を画像データとして扱えるようにする制御装置２５とを備えている。
【００４８】
X線検出装置２４は、増感紙２６と、光電変換層２７と、支持板２８とを有しており、それらの構成及び作用は第１の実施形態に記載したX線検出装置７と同様である。
【００４９】
制御装置２５は、ＦＰＤ１９全体を制御する制御部２９と、電気信号を画像データとして処理するための画像処理部３０と、画像処理情報等を記録する記録媒体３１と、接続部２２に接続されたケーブル２０を介して携帯端末２１に画像データを送るための通信部３２とを有している。
【００５０】
制御部２９は、X線検出装置２４から送られてきた電気信号と記録媒体３１に記録されている画像処理情報とから、画像処理部３０に画像データを作成させる制御や、通信部３２からケーブルを介して携帯端末２１に画像データを送信する制御等を行う。
【００５１】
携帯端末２１は、X線カセッテ１７からケーブル２０を介して画像データを受信するための接続部３３、受信した画像データを表示するための表示部３４、入力部３５及び受信した画像データを記憶するための記憶部（非図示）等を有している。携帯端末２１としては、例えば、ＰＤＡ、携帯電話及びノートパソコン等が挙げられる。
【００５２】
また、本発明に係る放射線画像撮影用カセッテを利用した放射線画像撮影システムの構成は、第１の実施形態に記載したものと同様である。
【００５３】
次に、第２の実施形態の作用について説明する。
【００５４】
Ｘ線撮影者は、Ｘ線発生装置とX線カセッテ１７の間に被検者の撮影部位を配置し、Ｘ線を照射する。
【００５５】
照射されたＸ線は、被検者を通過し、X線カセッテ１７に装填された輝尽性蛍光体シート２３に到達し、そのエネルギーは輝尽性蛍光体シート２３に蓄積される。
【００５６】
また、照射されたX線は、増感紙２６にも到達する。そのＸ線からは、第１の実施形態と同様に電気信号が形成された後、制御装置２５により画像データが作成される。
【００５７】
Ｘ線撮影者は、X線カセッテ１７の接続部２２と、携帯端末２１の接続部３３とをケーブル２０を介して接続し、入力部３５を操作し、携帯端末２１からＦＰＤ１９に画像データを送信させる指示を送る。
【００５８】
制御装置２５は、送信指示を受けると、作成した画像データをケーブル２０を介して携帯端末２１に送信し、画像データを受信した携帯端末２１は、その画像データから形成したＸ線画像を表示部３４に表示する。また、画像データは、記憶部に記憶される。
【００５９】
Ｘ線撮影者は、表示部３４に表示されたX線画像を見て、ポジショニングを確認した結果、再撮影が必要か否かを判断する。再撮影が必要ならば、Ｘ線の照射方向や被検者の位置等を調整して再撮影を行い、最撮影が必要でなければ、次の部位又は被検者の撮影のために、Ｘ線発生装置を移動させる。
【００６０】
ポジショニング等が確認されたX線カセッテ１７の輝尽性蛍光体シート２３に蓄積されたＸ線エネルギーは、蛍光体読取装置に読み取られ、画像データに変換された後、画像処理が施され、医師による読影が可能なＸ線画像となる。
【００６１】
尚、本実施の形態では、X線検出装置２４の光電変換層２７は、Ｘ線が照射された増感紙２６が発した可視光線を感光し、この光を電気信号に変換しているが、増感紙２６を設けずに、光電変換層２７に、Ｘ線を直接感知し、電気信号に変換する半導体素子を配置してもよい。
【００６２】
また、ＦＰＤ１９を放射線画像記録媒体として利用して、輝尽性蛍光体シート２３を使用しない放射線画像撮影も可能であり、その場合は放射線画像読取装置をＦＰＤコントローラとすればよい。
【００６３】
したがって、本実施形態においては、Ｘ線画像撮影後、X線カセッテ１７にケーブル２０を介して接続された携帯端末２１の表示部３４に表示された放射線画像を確認することで、X線カセッテ１７に収容されている輝尽性蛍光体シート３８に記録されたＸ線画像のポジショニングを確認することができる。また、確認を撮影場所で行うことができるため、再撮影をすぐに行うことが可能となり、蛍光体読取装置が設置されている場所と病室とを往復する労力及び時間を軽減することが可能となる。
【００６４】
〔第３の実施の形態〕
本発明の第３の実施の形態を図５から図８を参照して説明する。
【００６５】
本実施形態における放射線画像撮影システムは、放射線発生装置としてのＸ線発生装置３６と、Ｘ線カセッテ３７に収容される放射線画像記録媒体としての輝尽性蛍光体シート３８と、放射線画像読取装置としての蛍光体読取装置３９と、携帯端末４０とを有している。
【００６６】
Ｘ線カセッテ３７の後面には、収容した輝尽性蛍光体を識別するためのＩＤ情報を示すバーコード４１が記されている。
【００６７】
図２及び図３に示すように、蛍光体読取装置３９は、本体４２を有しており、本体４２の上部には、複数のＸ線カセッテ３７を挿入し固定させるためのスタッカ４３と、操作部４４が配設されており、操作部４４は、ＣＲＴディスプレイ４５とＣＲＴディスプレイ４５の表面に表示されたタッチパネル４６とから構成される。
【００６８】
スタッカ４３には、固定したＸ線カセッテ３７のバーコード４１に対応する位置に、そのバーコード４１からＩＤを読み取るＩＤ読取部４７が配設されている。本体４２の内部であってスタッカ４３の下方には、スタッカ４３に固定されたＸ線カセッテ３７から搬送機構（非図示）により取り出された輝尽性蛍光体シート３８に励起光を照射して画像データを作成する画像読取部４８が配設されている。
【００６９】
図４に示すように、画像読取部４８には、蛍光体読取装置３９の各部を制御するための制御部４９、携帯端末４０と通信を行うための通信部５０及び被検者の撮影情報や作成した画像データを記憶するための記憶部５１が接続されている。記憶部に記憶される撮影情報には、被検者のＩＤ、撮影部位を設定した撮影条件、画像処理パラメータ等が含まれている。
【００７０】
制御部４９は、搬送機構の制御や、スタッカ４３にセットされたＸ線カセッテ３７から読み取られた画像データに撮影情報を参照させる制御や、Ｘ線撮影者が所持する携帯端末４０に対して通信部５０を介して画像データ及び撮影情報を送信する制御等を行う。
【００７１】
携帯端末４０は、蛍光体読取装置３９に画像データを送信する指示を送信し、蛍光体読取装置３９から送信された画像データを受信するための送受信部５２や受信した画像データを表示するための表示部５３、入力部（非図示）及び受信した画像データを記憶するための記憶部（非図示）等を有している。携帯端末４０としては、例えば、ＰＤＡ、携帯電話及びノートパソコン等が挙げられる。
【００７２】
次に、第３の実施形態の作用について説明する。
【００７３】
Ｘ線撮影者は、放射線科等の特定の場所に設置された蛍光体読取装置３９に、撮影に使用するＸ線カセッテ３７のＩＤと、被検者の撮影情報を操作部４４から登録し、Ｘ線カセッテ３７のＩＤと被検者の撮影情報とを関連付けておく。
【００７４】
Ｘ線撮影者は、Ｘ線発生装置３６と登録したＸ線カセッテ３７とを用いて、病室等を巡回して、被検者に対してＸ線撮影を行う。撮影済みのＸ線カセッテ３７は、放射線科等の特定の場所に設置された蛍光体読取装置３９の設置場所に運ばれ、スタッカ４３にセットされる。
【００７５】
X線撮影者は、タッチパネル４６を操作して、蛍光体読取装置３９に読取処理を開始させた後、携帯端末４０を所持してX線撮影の巡回を再開する。
【００７６】
蛍光体読取装置３９において、スタッカ４３にセットされたＸ線カセッテ３７のバーコード４１からＩＤ読取部４７によりＩＤが読み取られ、輝尽性蛍光体シート３８は搬送機構によりＸ線カセッテ３７から取り出され、画像読取部４８に移動させられる。
【００７７】
画像読取部４８は、輝尽性蛍光体シート３８に励起光を照射し、それに蓄積されていた放射線画像情報を輝尽光として取り出し、その輝尽光を光電変換及びＡ／Ｄ変換することによりデジタル化された画像データを作成する。作成された画像データは、記憶部５１に記憶される。
【００７８】
X線撮影者は、携帯端末４０から蛍光体読取装置３９に画像データ送信指示を送る。
【００７９】
画像データ送信指示を受信した蛍光体読取装置３９は、記憶部５１に記憶している画像データと、その画像データに関連付けられた被検者の撮影情報とから、送信データを作成し、携帯端末４０に送信する。
【００８０】
X線撮影者は、表示部５３に受信した画像データから形成されたX線画像を表示させ、撮影情報を参照して、ポジショニングの確認を行い、再撮影が必要か否かを判断する。再撮影が必要ならば、巡回のコースを考慮してその被検者のいる病室に移動し、再撮影を行う。
【００８１】
また、放射線画像を画像データとして記録するＦＰＤ（Ｆｌａｔ  ＰａｎｅｌＤｉｓｐｌａｙ）を放射線画像記録媒体として利用して、輝尽性蛍光体シート３８を使用しない放射線画像撮影も可能であり、その場合は放射線画像読取装置をＦＰＤコントローラとすればよい。
【００８２】
したがって、本実施形態においては、携帯端末４０により蛍光体読取装置３９において作成された画像データを受信し、表示部５３に表示された放射線画像を確認することが可能となる。
【００８３】
【発明の効果】
以上述べたように請求項１に記載の発明に係る放射線画像撮影用カセッテは、放射線画像撮影用カセッテに備えられた画像表示装置に確認用放射線画像記録媒体に記録された放射線画像を表示させることより、放射線画像記録媒体に記録した放射線画像を確認することができる。
【００８４】
また、請求項２に記載の発明に係る放射線画像撮影用カセッテは、放射線画像撮影用カセッテに接続された携帯端末に放射線画像記録媒体に確認用放射線画像記録媒体に記録された放射線画像を表示させることより、放射線画像記録媒体に記録した放射線画像を確認することができる。
【００８５】
また、請求項３の記載の発明に係る放射線画像撮影システムは、携帯端末に放射線画像読取装置で作成された画像データにより形成される放射線画像を表示させることにより、放射線画像読取装置が設置された場所以外でも放射線画像記録媒体に記録した放射線画像を確認することができる等の効果を奏する。
【図面の簡単な説明】
【図１】本発明に係る放射線画像撮影用カセッテの実施の一形態を示しており、図１（ａ）はその斜視図であり、図１（ｂ）はその内部を示した模式図である。
【図２】ＦＰＤ及び液晶ディスプレイの構成を示すブロック図である。
【図３】本発明に係る放射線画像撮影システムの実施の一形態を示す模式図である。
【図４】ＦＰＤの構成を示すブロック図である。
【図５】本発明に係る放射線画像撮影システムの実施の一形態を示す構成図である。
【図６】図５に示す蛍光体読取装置の斜視図である。
【図７】図６に示す蛍光体読取装置の上部の模式図である。
【図８】蛍光体読取装置の構成を示すブロック図である。
【符号の説明】
１  Ｘ線カセッテ
３  ＦＰＤ
４  液晶ディスプレイ
６  輝尽性蛍光体シート
１７  Ｘ線カセッテ
１９  ＦＰＤ
２１  携帯端末
２３  輝尽性蛍光体シート
３７  Ｘ線カセッテ
３８  輝尽性蛍光体シート
３９  蛍光体読取装置
４０  携帯端末
【図１】
2004188095.tif 000003
【図２】
2004188095.tif 000004
【図３】
2004188095.tif 000005
【図４】
2004188095.tif 000006
【図５】
2004188095.tif 000007
【図６】
2004188095.tif 000008
【図７】
2004188095.tif 000009
【図８】
2004188095.tif 000010